(57)【要約】放射線および（または）煙、一酸化炭素などの大気汚染物質を感知するための警報装置が、ハウジング（５００）、前記放射線および（または）大気汚染物質を感知するための感知器（ＤＥＴ１）を含む警報回路（４００）、該警報回路に電力を供給するための外部電源に接続可能な第一の電気的接続部（ＰＬ１、ＰＬ２）、および予め選択された期間に亘る予め選択された数のパルスの受信に応答して、該警報回路（４００）にプリセットされた制御信号を加える制御回路（３００）を有している。該警報回路（４００）は、該プリセットされた制御信号に応答して、該プリセットされた制御信号に依存して、該警報装置をリセットまたはテストする。
2005531055.tif 000002
【特許請求の範囲】
【請求項１】
放射線、および（または）、煙、一酸化炭素などの大気汚染物質を感知するための警報装置であって、
ハウジング手段（５００）と、
前記放射線、および（または）、大気汚染物質を感知するための感知手段（ＤＥＴ１）を含む警報回路（４００）と、
前記警報回路に電力を供給するための外部電源に接続可能な第一の電気的接続手段（ＰＬ１、ＰＬ２）と、
予め選択された期間に亘る予め選択された数のパルスの受信に応答して、前記警報回路（４００）にプリセットされた制御信号を加える制御手段（３００）とを有し、
前記警報回路（４００）は、前記プリセットされた制御信号に応答して、前記プリセットされた制御信号に依存して、前記警報装置をリセットまたはテストすることを特徴とする警報装置。
【請求項２】
前記制御手段（３００）は、前記外部電源の、予め選択された期間に亘る予め選択された回数の通電および遮断に応答して、前記警報回路に前記プリセットされた制御信号を加えることを特徴とする、請求項１に記載の警報装置。
【請求項３】
前記警報装置は、ユーザによって操作可能な第一の切り換え手段（ＳＷ２）を有して、各操作に対して各パルスを発生し、これにより、ユーザにより選択された数のパルスを前記制御手段（３００）に加え、かつ、前記制御手段は、前記予め選択された期間に亘る前記予め選択された数の前記パルスの受信に応答して、前記警報回路（４００）にプリセットされた制御信号を加える
ことを特徴とする、請求項１または２に記載の警報装置。
【請求項４】
前記第一の切り換え手段（ＳＷ２）は、前記警報装置のハウジングに取り付けられていることを特徴とする、請求項３に記載の警報装置。
【請求項５】
前記第一の切り換え手段（ＳＷ２）は、前記警報装置のハウジングから離れて取り付けられていることを特徴とする、請求項３に記載の警報装置。
【請求項６】
前記第一の切り換え手段（ＳＷ２）は、電灯回路用のスイッチの切り換え帯電側に接続されるようにされていることを特徴とする、請求項４または５に記載の警報装置。
【請求項７】
前記警報装置は、電灯回路用のスイッチの切り換え帯電側に接続される第二の切り換え手段（ＳＬ）を有しており、かつ、前記第二の切り換え手段は、前記スイッチのそのオン状態とオフ状態との間のユーザ操作により生じたパルスを受信し、かつ、前記パルスを前記制御手段（３００）に加えるよう動作可能であり、これにより、前記予め選択された期間に亘る前記予め選択された数のパルスの発生に応答して、前記警報回路（４００）に加えられるべきプリセットされた制御信号を発生されることを特徴とする、請求項１〜６のうちのいずれか一つに記載の警報装置。
【請求項８】
外部光源（ＬＢ）用であり、かつ、予め選択された制御信号の発生に応答して、前記光源に通電するよう動作可能な切り換え手段（ＲＬ１）をさらに備えたことを特徴とする、請求項１〜７のうちのいずれか一つに記載の警報装置。
【請求項９】
リレー（ＲＬ１）と光源（ＬＢ）とをさらに備え、前記リレーは、予め選択された制御信号の発生に応答して、前記光源に通電するよう動作可能であることを特徴とする、請求項１〜７のうちのいずれか一つに記載の警報装置。
【請求項１０】
前記予め選択された期間に亘る前記予め選択された数のパルスの数が１である場合に、前記制御手段（３００）は前記警報回路（４００）にプリセットされた制御信号を加え、これにより、前記警報装置をリセットするよう動作可能であることを特徴とする、先行する請求項のうちのいずれか一つに記載の警報装置。
【請求項１１】
前記予め選択された期間に亘る前記予め選択された数のパルスの数が１である場合に、前記制御手段（３００）は、前記警報回路（４００）にプリセットされた制御信号を加え、これにより、前記警報装置をテストするよう動作可能であることを特徴とする、請求項１〜９のうちのいずれか一つに記載の警報装置。
【請求項１２】
前記予め選択された期間に亘る前記予め選択された数のパルスの数が２である場合に、前記制御手段（３００）は、前記警報回路（４００）にプリセットされた制御信号を加え、これにより、前記警報装置をテストするよう動作可能であることを特徴とする、請求項１〜１０のうちのいずれか一つに記載の警報装置。
【請求項１３】
前記予め選択された期間に亘る前記予め選択された数のパルスの数が２である場合に、前記制御手段（３００）は、前記警報回路（４００）にプリセットされた制御信号を加え、これにより、前記警報装置をリセットするよう動作可能であることを特徴とする、請求項１１に記載の警報装置。
【請求項１４】
前記警報回路（４００）は、前記感知手段（ＤＥＴ１）の感度を減らすための手段（ＴＲ１）を備えたことを特徴とする、上記請求項のうちのいずれか一つに記載の警報回路。
【請求項１５】
前記感知手段（ＤＥＴ１）の感度を減らす前記手段（ＴＲ１）は、前記制御手段（３００）によるリセット制御信号の発生に応答して、予め選択された期間の間、前記感知手段（ＤＥＴ１）の感度を減らし、これにより、前記警報装置をリセットするよう動作可能であることを特徴とする、請求項１４に記載の警報回路。
【請求項１６】
前記警報回路（４００）は、前記感知手段（ＤＥＴ１）の感度を増大するための手段（ＴＲ２）を備えたことを特徴とする、上記請求項のうちのいずれか一つに記載の警報回路。
【請求項１７】
前記感知手段（ＤＥＴ１）の感度を増大する前記手段（ＴＲ２）は、前記制御手段（３００）によるテスト制御信号の発生に応答して、予め選択された期間の間、前記感知手段（ＤＥＴ１）の感度を増大し、これにより、前記警報装置をテストするよう動作可能であることを特徴とする、請求項１５に記載の警報装置。
【請求項１８】
前記警報装置に電力を供給するバッテリ（Ｂ１）をさらに備えたことを特徴とする、上記請求項のうちのいずれか一つに記載の警報装置。
【請求項１９】
前記警報装置の電力線（１１１、２１０）に電力を供給し、かつ、前記バッテリを充電するための前記第一の電気的な接続手段（ＰＬ１、ＰＬ２）を含む充電回路（１００）をさらに備えたことを特徴とする、請求項１８に記載の警報装置。
【請求項２０】
前記警報装置が無効状態になった時に、前記バッテリを前記警報装置から選択的に電気的に切り離し、これにより、バッテリからの漏れを最小限度に抑えるための分離手段（２００）をさらに備えたことを特徴とする、請求項１８または１９に記載の警報装置。
【請求項２１】
前記分離手段（２００）は、前記バッテリ（Ｂ１）を前記警報装置に接続する第一の導通状態と前記バッテリを前記警報装置から切り離す第二の非導通状態との間で切り換え可能な第二の切り換え手段（ＴＲ３）を前記電力線（１１１、２１０）内に備えたことを特徴とする、請求項１９に記載の警報装置。
【請求項２２】
前記充電回路（１００）は、第一の導通状態と第二の非導通状態との間で、前記電力線（１１１）の電圧に依存して、切り換え可能な第三の切り換え手段（ＴＲ５）を備え、
前記第三の切り換え手段（ＴＲ５）が前記第一の導通状態にある場合、前記第三の切り換え手段（ＴＲ５）は、前記分離する第二の切り換え手段（ＴＲ３）をその導通状態に保持し、かつ、
前記第三の切り換え手段（ＴＲ５）が前記第二の非導通状態にある場合、前記第三の切り換え手段（ＴＲ５）の状態は、前記第二の切り換え手段（ＴＲ３）が、前記電力線の前記電圧が低バッテリ充電を示す予め選択された値以下であることに応答して非導通となり、これによって、前記バッテリ（Ｂ１）の充電中、前記警報装置を無効状態にするように、前記電力線（１１１）の電圧に依存することを特徴とする、請求項２１に記載の警報装置。
【請求項２３】
前記切り換え手段（ＴＲ３）をその非導通状態に切り換え、これによって、前記切り換え手段を無効状態にし、前記警報装置の動作を妨げる切り離し手段（５５０）をさらに備えたことを特徴とする、請求項２２に記載の警報装置。
【請求項２４】
前記切り離し手段（５５０）は、前記切り換え手段（ＴＲ３）が非導通になる第一のオフ位置と前記切り換え手段（ＴＲ３）が有効状態になる第二のオン位置との間を移動できるボタン手段（５６２）を備えたことを特徴とする、請求項２３に記載の警報装置。
【請求項２５】
前記切り換え手段（ＴＲ３）は、制御電極を有する多電極半導体デバイスであって、前記制御電極は前記デバイスの別の電極間の導通を制御し、
かつ、前記ボタン手段（５６２）は、その第一のオフ位置に移動して、前記制御ゲート手段の電位を変え、これによって、前記切り換え手段（ＴＲ３）を非導通状態にすることを特徴とする、請求項２３または２４に記載の警報装置。
【請求項２６】
前記ハウジングは、
表面に取り付けるための第一のバッキングプレート（５０２）と、
前記第一のバッキングプレートに取り外し可能に取り付け可能な第二のバッキングプレート（５０６）と、
前記バッキングプレートをカバーするためのカバー手段（５１４）と
を備え、
かつ、前記切り離し手段の装置は、前記第二のバッキングプレート（５０６）を前記第一のバッキングプレート（５０２）に係合すると、前記切り離し手段は、その第二のオン位置に移動し、これによって、前記切り換え手段（ＴＲ３）を有効状態にし、かつ、前記第二のバッキングプレート（５０６）を前記第一のバッキングプレート（５０２）から外すと、前記切り離し手段は、その第一のオフ位置に移動し、これによって、前記切り換え手段（ＴＲ３）を無効状態にすることを特徴とする、請求項２４または２５に記載の警報装置。
【請求項２７】
前記分離手段の下流の前記電圧線（２１０）の電力に応答して、前記警報装置が有効状態であることを示すよう動作可能である表示器手段（ＬＥＤ１）をさらに備えたことを特徴とする、請求項２０〜２６に記載の警報装置。
【請求項２８】
放射線、および（または）、煙、一酸化炭素などの大気汚染物質を感知するための警報装置であって、
ハウジング手段（５００）と、
前記放射線、および（または）、大気汚染物質を感知するための感知手段（ＤＥＴ１）を含む警報回路（４００）と、
前記警報回路に電力を供給するための外部電源に接続可能な第一の電気的接続手段（ＰＬ１、ＰＬ２）と、
光源（ＬＢ）用の切り換え手段（ＲＬ１）であって、前記切り換え手段は、前記警報装置の起動に応答して、前記光源に通電するよう動作可能である切り換え手段とを有することを特徴とする、
警報装置。
【請求項２９】
前記切り換え手段はリレー（ＲＬ１）を含み、前記光源（ＬＢ）は前記警報装置の外部にあることを特徴とする、請求項２８に記載の警報装置。
【請求項３０】
前記光源は、前記警報装置内に取り付けられていることを特徴とする、請求項２８に記載の警報装置。
【請求項３１】
放射線、および（または）、煙、一酸化炭素などの大気汚染物質を感知するための警報装置であって、
ハウジング手段（５００）と、
前記放射線、および（または）、大気汚染物質を感知するための感知手段（ＤＥＴ１）を含む警報回路（４００）と、
前記に電力を供給するためのバッテリ（Ｂ１）と、
前記警報装置が無効状態になった時に、前記バッテリを前記警報装置から選択的に電気的に切り離し、これにより、前記バッテリからの漏れを最小限度に抑えるための分離手段（２００）とを有することを特徴とする、
警報装置。
【請求項３２】
前記警報回路に電力を供給するための外部電源に接続可能な第一の電気的接続手段（ＰＬ１、ＰＬ２）と、
前記警報装置の電力線（１１１、２１０）に電力を供給し、かつ、前記バッテリを充電するための前記第一の電気的な接続手段（ＰＬ１、ＰＬ２）を含む充電回路（１００）をさらに備えたことを特徴とする、請求項３１に記載の警報装置。
【請求項３３】
前記分離手段（２００）は、前記バッテリ（Ｂ１）を前記警報装置に接続する第一の導通状態と前記バッテリを前記警報装置から切り離す第二の非導通状態との間で切り換え可能な前記電力線（１１１、２１０）内の第二の切り換え手段（ＴＲ３）を備えたことを特徴とする、請求項３１または３２に記載の警報装置。
【請求項３４】
前記充電回路（１００）は、第一の導通状態と第二の非導通状態との間で、前記電力線（１１１）の電圧に依存して、切り換え可能な第三の切り換え手段（ＴＲ５）を備え、かつ、
前記第三の切り換え手段（ＴＲ５）が前記第一の導通状態にある場合、前記第三の切り換え手段（ＴＲ５）は、前記分離する第二の切り換え手段（ＴＲ３）をその導通状態に保持し、かつ、
前記第三の切り換え手段（ＴＲ５）が、前記第二の非導通状態にある場合、前記第三の切り換え手段（ＴＲ５）の状態は、前記第二の切り換え手段（ＴＲ３）が、前記電力線の前記電圧が低バッテリ充電を示す予め選択された値以下であることに応答して非導通となり、これによって、前記バッテリ（Ｂ１）の充電中、前記警報装置を無効状態にするように、前記電力線（１１１）の電圧に依存することを特徴とする、請求項３２に記載の警報装置。
【請求項３５】
前記切り換え手段（ＴＲ３）をその非導通状態に切り換え、これによって、前記切り換え手段を無効状態にし、前記警報装置の動作を妨げる切り離し手段（５５０）をさらに備えたことを特徴とする、請求項３３に記載の警報装置。
【請求項３６】
前記切り離し手段（５５０）は、前記切り換え手段（ＴＲ３）が非導通になる第一のオフ位置と前記切り換え手段（ＴＲ３）が有効状態になる第二のオン位置との間を移動できるボタン手段（５６２）を備えたことを特徴とする、請求項３５に記載の警報装置。
【請求項３７】
前記切り換え手段（ＴＲ３）は、制御電極を有する多電極半導体デバイスであって、前記制御電極は、前記デバイスの別の電極間の導通を制御し、かつ、
前記ボタン手段（５６２）は、その第一のオフ位置に移動して、前記制御ゲート手段の電位を変え、これによって、前記切り換え手段（ＴＲ３）を非導通状態にすることを特徴とする、請求項３５または３６に記載の警報装置。
【請求項３８】
前記ハウジングは、
表面に取り付けるための第一のバッキングプレート（５０２）と、
前記第一のバッキングプレートに取り外し可能に取り付け可能な第二のバッキングプレート（５０６）と、
前記バッキングプレートをカバーするためのカバー手段（５１４）とを備え、かつ、
前記切り離し手段の装置は、前記第二のバッキングプレート（５０６）を前記第一のバッキングプレート（５０２）に係合すると、前記切り離し手段は、その第二のオン位置に移動し、これによって、前記切り換え手段（ＴＲ３）を有効状態にし、かつ、前記第二のバッキングプレート（５０６）を前記第一のバッキングプレート（５０２）から外すと、前記切り離し手段は、その第一のオフ位置に移動し、これによって、前記切り換え手段（ＴＲ３）を無効状態にすることを特徴とする、請求項３６または３７に記載の警報装置。
【請求項３９】
前記分離手段の下流の前記電圧線（２１０）の電力に応答して、前記警報装置が有効状態であることを示すよう動作可能である表示器手段（ＬＥＤ１）をさらに備えたことを特徴とする、請求項３２〜３８に記載の警報装置。
【発明の詳細な説明】
【技術分野】
【０００１】
本発明は、警報装置に関し、詳しくは（しかし排他的ではなく）、幹線から電力を供給される改良型の煙警報装置に関する。
【背景技術】
【０００２】
最近まで、煙警報装置、および、放射線、熱、大気汚染物質などを感知するための他の種類の警報装置は、バッテリによってしか電力が供給されない比較的かさばる装置であった。バッテリを再充電するいかなる設備も含まれておらず、したがって、警報装置を正しく動作させるためには、バッテリを定期的に交換して、警報装置への電力供給を確実に維持することが必要であった。家屋およびオフィスにおけるこのような警報装置の必要性がますます意識されてきたために、幹線から電力を供給し、かつ、幹線の電力が中断した時に、警報装置に電力を供給する充電式のバッテリを内蔵した警報装置を供給するのが普通になった。
【０００３】
一般の幹線から電力を供給される煙警報装置に対する改良は、電灯回路に接続できる警報装置である。国際特許出願公開第ＷＯ００／２１４０７号は、照明器具取付け先と電球などの光源との間に相互接続されるようにされている、放射線、および（または）、煙、一酸化炭素などの大気汚染物質などを感知するための警報装置を開示している。この警報装置は、照明器具取付け先が、通電された時、照明器具取付け先により電力を供給され、照明器具取付け先が、遮断された時、バッテリにより電力を供給される。
【０００４】
国際特許出願公開第ＷＯ００／５８９２４号は、照明器具取付け先の天井ローズ型に取って換わるよう意図されたハウジングを含む、放射線、および（または）、煙、一酸化炭素、メタン、ラドンなどの大気汚染物質を感知するための警報装置を開示している。
【０００５】
上述の装置は、既存の電灯回路に比較的容易に取り付けられるが、そのような取り付けには、バッテンまたはペンダント天井フィッティングなどの照明器具取付け先が必要である、という欠点がある。照明器具取付け先がない建物内の場所でこのような装置を取り付けるのは、困難あるいは不可能である。建築物の法規では、一般に、幹線から電力を供給される警報装置は、照明器具取付け先の位置に一致しない場合がある建物内の特定の場所に設置することが要求されることが多い。
【特許文献１】国際特許出願公開第ＷＯ００／２１４０７号
【特許文献２】国際特許出願公開第ＷＯ００／５８９２４号
【発明の開示】
【発明が解決しようとする課題】
【０００６】
本発明の目的は、電灯回路または他の幹線回路に接続可能な、幹線から電力を供給される改良された警報装置を提供することである。本発明の別の目的は、より容易に取り付けられ、かつ、照明器具取付け先に結合して取り付ける必要がない警報装置を提供することである。
【課題を解決するための手段】
【０００７】
本発明は、放射線、および（または）、煙、一酸化炭素などの大気汚染物質を感知するための警報装置であって、ハウジング手段と、前記放射線、および（または）、大気汚染物質を感知するための感知手段を含む警報回路と、前記警報回路に電力を供給するための外部電源に接続可能な第一の電気的接続手段と、予め選択された期間に亘る予め選択された数のパルスの受信に応答して、前記警報回路にプリセットされた制御信号を加える制御手段とを有し、前記警報回路は、前記プリセットされた制御信号に応答して、前記プリセットされた制御信号に依存して、前記警報装置をリセットまたはテストすることを特徴とする警報装置を提供する。
【０００８】
本発明の好適な形態では、前記制御手段は、該外部電源の、予め選択された期間に亘る予め選択された回数の通電および遮断に応答して、前記警報回路に、前記プリセットされた制御信号を加える。前記警報装置は、ユーザによって操作可能な第一の切り換え手段を有して、各操作に対して各パルスを発生し、それにより、ユーザにより選択された数のパルスを前記制御手段に加え、かつ、前記制御手段は、前記予め選択された期間に亘る前記予め選択された数の前記パルスの受信に応答して、前記警報回路にプリセットされた制御信号を加える。
【０００９】
好ましくは、前記第一の切り換え手段は、前記警報装置のハウジングに取り付けられている。
【００１０】
好ましくは、前記第一の切り換え手段は、前記警報装置のハウジングから離れて取り付けられている。
【００１１】
好ましくは、前記第一の切り換え手段は、電灯回路用のスイッチの切り換え帯電側に接続されるようにされている。
【００１２】
好ましくは、前記警報装置は、電灯回路用のスイッチの切り換え帯電側に接続される第二の切り換え手段を有しており、かつ、前記第二の切り換え手段は、前記スイッチのそのオン状態とオフ状態との間のユーザ操作により生じたパルスを受信し、かつ、前記パルスを前記制御手段に加えるよう動作可能であり、それにより、前記予め選択された期間に亘る前記予め選択された数のパルスの発生に応答して、前記警報回路に加えられるべきプリセットされた制御信号を生ずる。
【００１３】
好ましくは、外部光源用の切り換え手段が設けられており、それらは、予め選択された制御信号の発生に応答して、前記光源に通電するよう動作可能である。
【００１４】
好ましくは、該警報装置は、リレーと光源とを備え、前記リレーは、予め選択された制御信号の発生に応答して、前記光源に通電するよう動作可能である。
【００１５】
好ましくは、前記予め選択された期間に亘る前記予め選択された数のパルスの数が、１である場合に、前記制御手段は、前記警報回路にプリセットされた制御信号を加え、それにより、前記警報装置をリセットするよう動作可能である。
【００１６】
好ましくは、前記予め選択された期間に亘る前記予め選択された数のパルスの数が、１である場合に、前記制御手段は、前記警報回路にプリセットされた制御信号を加え、それにより、前記警報装置をテストするよう動作可能である。
【００１７】
好ましくは、前記予め選択された期間に亘る前記予め選択された数のパルスの数が、２である場合に、前記制御手段は、前記警報回路にプリセットされた制御信号を加え、それにより、前記警報装置をテストするよう動作可能である。
【００１８】
好ましくは、前記予め選択された期間に亘る前記予め選択された数のパルスの数が、２である場合に、前記制御手段は、前記警報回路にプリセットされた制御信号を加え、それにより、前記警報装置をリセットするよう動作可能である。
【００１９】
好ましくは、前記警報回路は、前記感知手段の感度を減らすための手段を備えている。
【００２０】
好ましくは、前記感知手段の感度を減らす前記手段は、前記制御手段によるリセット制御信号の発生に応答して、予め選択された期間の間、前記感知手段の感度を減らし、それにより、前記警報装置をリセットするよう動作可能である。
【００２１】
好ましくは、前記警報回路は、前記感知手段の感度を増大するための手段を備えている。
【００２２】
好ましくは、前記感知手段の感度を増大する前記手段は、前記制御手段によるテスト制御信号の発生に応答して、予め選択された期間の間、前記感知手段の感度を増大し、それにより、前記警報装置をテストするよう動作可能である。
【００２３】
好ましくは、該警報装置は、幹線の電力がない場合に、前記警報装置に電力を供給するバッテリ、および、前記警報装置の電力線に電力を供給し、かつ、前記バッテリを充電するための前記第一の電気的な接続手段を含む充電回路を備えている。
【００２４】
好ましくは、該警報装置は、前記警報装置が無効状態になった時に、前記バッテリを前記警報装置から選択的に電気的に切り離し、それにより、前記バッテリからの漏れを最小限度に抑えるための分離手段を備えている。
【００２５】
好ましくは、前記分離手段は、前記バッテリを前記警報装置に接続する第一の状態、導通状態と前記バッテリを前記警報装置から切り離す第二の状態、非導通状態との間で切り換え可能な第二の切り換え手段を前記電力線内に備えている。
【００２６】
好ましくは、前記充電回路は、第一の状態、導通状態と第二の状態、非導通状態との間で、前記電力線の電圧に依存して切り換え可能な第三の切り換え手段を備え、かつ、前記第三の切り換え手段が、前記第一の状態、導通状態にある場合、前記第三の切り換え手段は、前記分離する第二の切り換え手段をその導通状態に保持し、かつ、前記第三の切り換え手段が、前記第二の状態、非導通状態にある場合、前記第三の切り換え手段の状態は、前記第二の切り換え手段が、前記電力線の前記電圧が低バッテリ充電を示す予め選択された値以下であることに応答して、非導通となり、これによって、前記バッテリの充電中、前記警報装置を無効状態にするように、前記電力線の電圧に依存する。
【００２７】
好ましくは、該警報装置は、前記切り換え手段をその非導通状態に切り換え、これによって、前記切り換え手段を無効状態にし、前記警報装置の動作を妨げる切り離し手段を備えている。
【００２８】
好ましくは、前記切り離し手段は、前記切り換えが、非導通になる第一の位置、オフ位置と前記切り換え手段が、有効状態になる第二の位置、オン位置との間を移動できるボタン手段を備えている。
【００２９】
好ましくは、前記切り換え手段は、制御電極を有する多電極半導体デバイスであって、該制御電極は、該デバイスの別の電極間の導通を制御し、かつ、前記ボタン手段は、その第一の位置、オフ位置に移動して、前記制御ゲート手段の電位を変え、これによって、前記切り換え手段を非導通状態にする。
【００３０】
好ましくは、前記ハウジングは、表面に取り付けるための第一のバッキングプレートと、前記第一のバッキングプレートに取り外し可能に取り付け可能な第二のバッキングプレートと、前記バッキングプレートをカバーするためのカバー手段とを備え、かつ、前記切り離し手段の装置は、前記第二のバッキングプレートを前記第一のバッキングプレートに係合すると、前記切り離し手段は、その第二の位置、オン位置に移動し、これによって、前記切り換え手段を有効状態にし、かつ、前記第二のバッキングプレートを前記第一のバッキングプレートから外すと、前記切り離し手段は、その第一の位置、オフ位置に移動し、これによって、前記切り換え手段を無効状態にする。
【００３１】
好ましくは、該警報装置は、前記分離手段の下流の前記電圧線の電力に応答して、前記警報装置が有効状態であることを示すよう動作可能である表示器手段を備えている。
【００３２】
本発明はまた、放射線、および（または）、煙、一酸化炭素などの大気汚染物質を感知するための警報装置であって、ハウジング手段と、前記放射線、および（または）、大気汚染物質を感知するための感知手段を含む警報回路と、前記警報回路に電力を供給するための外部電源に接続可能な第一の電気的接続手段と、光源用の切り換え手段であって、前記切り換え手段は、前記警報装置の起動に応答して、前記光源に通電するよう動作可能である切り換え手段とを有することを特徴とする警報装置を提供する。
【００３３】
好ましくは、前記切り換え手段は、リレーを含み、前記光源は、前記警報装置に対して外部である。
【００３４】
好ましくは、前記光源は、前記警報装置内に取り付けられている。
【００３５】
本発明はさらに、放射線、および（または）、煙、一酸化炭素などの大気汚染物質を感知するための警報装置であって、ハウジング手段と、前記放射線、および（または）、大気汚染物質を感知するための感知手段を含む警報回路と、前記警報回路に電力を供給するための外部電源に接続可能な第一の電気的接続手段と、幹線の電力がない場合に、前記警報装置に電力を供給するためのバッテリと、前記警報装置の電力線に電力を供給し、かつ、前記バッテリを充電するための前記第一の電気的な接続手段を含む充電回路と、前記警報装置が無効状態になった時に、前記バッテリを前記警報装置から選択的に電気的に切り離し、それにより、前記バッテリからの漏れを最小限度に抑えるための分離手段とを有することを特徴とする警報装置を提供する。
【００３６】
好ましくは、前記分離手段は、前記バッテリを前記警報装置に接続する第一の状態、導通状態と前記バッテリを前記警報装置から切り離す第二の状態、非導通状態との間で、切り換え可能な前記電力線内の第二の切り換え手段を備えている。
【００３７】
好ましくは、前記充電回路は、第一の状態、導通状態と第二の状態、非導通状態との間で、前記電力線の電圧に依存して、切り換え可能な第三の切り換え手段を備え、かつ、前記第三の切り換え手段が、前記第一の状態、導通状態にある場合、前記第三の切り換え手段は、前記分離する第二の切り換え手段をその導通状態に保持し、かつ、前記第三の切り換え手段が、前記第二の状態、非導通状態にある場合、前記第三の切り換え手段の状態は、前記第二の切り換え手段が、前記電力線の前記電圧が低バッテリ充電を示す予め選択された値以下であることに応答して、非導通となり、これによって、前記バッテリの充電中、前記警報装置を無効状態にするように、前記電力線の電圧に依存する。
【００３８】
好ましくは、該警報装置は、前記切り換え手段をその非導通状態に切り換え、これによって、前記切り換え手段を無効状態にし、前記警報装置の動作を妨げる切り離し手段を備えている。
【００３９】
好ましくは、前記切り離し手段は、前記切り換え手段が、非導通になる第一の位置、オフ位置と前記切り換え手段が、有効状態になる第二の位置、オン位置との間を移動できるボタン手段を備えている。
【００４０】
好ましくは、前記切り換え手段は、制御電極を有する多電極半導体デバイスであって、該制御電極は、該デバイスの別の電極間の導通を制御し、かつ、前記ボタン手段は、その第一の位置、オフ位置に移動して、前記制御ゲート手段の電位を変え、これによって、前記切り換え手段を非導通状態にする。
【００４１】
好ましくは、前記ハウジングは、表面に取り付けるための第一のバッキングプレートと、前記第一のバッキングプレートに取り外し可能に取り付け可能な第二のバッキングプレートと、前記バッキングプレートをカバーするためのカバー手段とを備え、かつ、前記切り離し手段の装置は、前記第二のバッキングプレートを前記第一のバッキングプレートに係合すると、前記切り離し手段は、その第二の位置、オン位置に移動し、これによって、前記切り換え手段を有効状態にし、かつ、前記第二のバッキングプレートを前記第一のバッキングプレートから外すと、前記切り離し手段は、その第一の位置、オフ位置に移動し、これによって、前記切り換え手段を無効状態にする。
【００４２】
好ましくは、該警報装置は、前記分離手段の下流の前記電圧線の電力に応答して、前記警報装置が有効状態であることを示すよう動作可能である表示器手段をさらに備えている。
【００４３】
以下、本発明を、添付の図面を参照して、例としてのみ説明する。
【発明を実施するための最良の形態】
【００４４】
下記の説明は、煙警報装置を引用して行うが、本発明は、放射線、メタン、ラドンまたは一酸化炭素などの大気汚染物質、および（または）、熱など感知する警報装置など、他の種類の警報装置にも適用可能であることが、理解されよう。加えて、電圧または電位の文脈における「アース」という語は、下記の説明では、便宜的に、基準電位または信号アース電位を指すのに使用され、これは、真のアース電位と等しい場合もあり、あるいは、等しくない場合もあり、ゼロ電位または真のアース電位に限定する意図はない。
【００４５】
また、記号Ｖｃｃは、警報回路の電源供給路への接続を示すのに用いるが、逆三角形の記号は、回路のアース線（ｒａｉｌ）への接続を表わすのに用いる。
【００４６】
まず、図１を参照すると、図１は、本発明による好適な形態の警報装置のブロック回路図を示す。警報回路は、充電回路１００、分離または切り離し回路２００、制御回路３００、警報装置の感知回路４００および電源入注意回路８００を有している。
【００４７】
充電回路は、制御および感知回路３００、４００用の、整流され、かつ、平滑化された電圧を供給し、一方、切り離し回路２００は、制御および感知回路３００、４００への供給電圧の印加を制御する。
【００４８】
回路１００〜８００は、当業者には、十分に理解されるはずであり、したがって、便宜上、本発明の理解にとって（必ずしも動作にとってでないが）重要な回路の特徴のみを詳細に説明する。
【００４９】
充電回路１００は、図２に詳細に示してあり、ＡＣ電源の帯電ケーブル（帯電ケーブル）（ｌｉｖｅ  ｃａｂｌｅ）および中性ケーブル（ｎｅｕｔｒａｌ  ｃａｂｌｅ）に接続用の第一および第二の入力ＰＬ１、ＰＬ２を含んでいる。図示の実施形態では、ＡＣ電源は、家庭またはオフィスビルで見出される場合がある既存の幹線電灯または環状回路の帯電ケーブルおよび中性ケーブルによって形成されている。第一の入力ＰＬ１は、電灯を点けた時、電力が充電回路１００にのみ供給されるように、電灯回路用の切り換え帯電ケーブルに接続されている。ここで使用する「切り換え帯電」の語句は、スイッチを閉じた時、電力が、ケーブルを通じて、ランプに印加されるように、電灯回路の電灯スイッチを回路のランプに接続するケーブルを指している。
【００５０】
充電回路の第一入力ＰＬ１および第二の入力ＰＬ２は、ＡＣ電圧に全波整流を加えるのに役立ち、それによりＤＣ電圧を作り出すダイオード整流器または整流器ブリッジＢＲ１の各入力に接続されている。
【００５１】
整流器ブリッジＢＲ１の出力は、充電回路１００用の正の線１１０およびアース線１１２を形成している。整流されたＤＣ電圧は、正の線１１０に印加され、正の線１１０およびアース線１１２の間に、平滑コンデンサＣ２が接続されていて、整流器ブリッジＢＲ１からのＤＣ電流を平滑化する。正の線１１０およびアース線１１２の間で、ツェナーダイオード１０８が、逆バイアスされていて、整流器ブリッジＢＲ１の電圧出力をクリップし、したがって、充電回路内のさらに先の回路を、電源上の電圧スパイクから分離する。
【００５２】
整流器ブリッジＢＲ１からのＤＣ電圧は、電圧を調整するのに役立つ電圧調整器ＩＣ１の入力に印加される。電圧調整器の出力は、充電線１１１を形成し、電圧調整器の基準入力は、充電線１１１とアース線１１２との間に直列に接続された二つの基準抵抗器Ｒ７、Ｒ８の間の接続点に接続されている。
【００５３】
充電回路は、さらに、トランジスタＴＲ５の形態のスイッチを含んでおり、そのコレクタは、抵抗器Ｒ３１を通じて、充電線１１１に接続されている。トランジスタＴＲ５のエミッタは、アース線１１２に接続されており、ベースは、充電線１１１およびアース線１１２の間に直列に接続されたＲ３８、Ｒ３９によって形成された分圧器に接続されている。トランジスタＴＲ５の目的は、下記のとおりである。
【００５４】
図３は、切り離し回路２００を図示するものである。切り離し回路２００は、点Ｃで、充電線１１１を通じて充電回路１００に、また、点Ｂで、トランジスタＴＲ５のコレクタに接続されている。切り離し回路２００は、充電式の電池またはバッテリＢ１を含んでおり、その正の端子は、抵抗器Ｒ３０とショットキダイオードＤ９の並列コンビネーションを通じて充電線１１１に接続されている。電池Ｂ１の負の端子は、アース線１１２に接続されている。充電線１１１は、Ｐ型電界効果トランジスタ（ＦＥＴ）ＴＲ３のソースに接続されており、そのドレインは、以下に説明する警報装置の残りの回路のための給電線２１０に接続され、かつ、該給電線を形成している。
【００５５】
ＦＥＴ ＴＲ３のゲートは、点Ｂで、制限抵抗器Ｒ４０を通じて、トランジスタＴＲ５に接続されている。加えて、ＦＥＴ ＴＲ３のソースおよびゲートは、接続装置５５０により互いに他に接続または切り離されるようにされている。接続装置５５０は、ＦＥＴ ＴＲ３のソースおよびゲートの容易で選択的な接続および切り離しができるいかなる適当な種類のものでもよい。それは、例えば、ヒューズ形のコネクタ、ジャンパで達成してよく、あるいは、手動スイッチで達成してもよい。この特徴の重要な要素は、ＦＥＴ ＴＲ３のソースおよびゲートが、本煙警報装置のユーザにより迅速、かつ、容易に接続または切り離されることである。以下、図１１〜１３を参照して、好適な形態の接続装置を詳細に説明する。
【００５６】
ここで、充電回路１００および切り離し回路２００の動作を説明する。幹線電源からのＡＣ電圧は、入力ＰＬ１、ＰＬ２に印加され、交流は、ダイオードブリッジＢＲ１により全波整流されてＤＣ信号となる。正の線１１０およびアース線１１２の両端のＤＣ電圧は、平滑コンデンサＣ２により平滑化され、電圧調整器ＩＣ１により調整される。充電回路が動作可能である期間中は（すなわち、ＡＣ電圧が入力ＰＬ１、ＰＬ２に印加されている間は）、ＤＣ電圧がトランジスタＴＲ５のベースに印加され、そのため、オン状態に切り換わっている。
【００５７】
トランジスタＴＲ５が、オン状態に切り換わると、トランジスタＴＲ５のコレクタの電位が、ほぼアース線１１２の電位に「プルダウン」され、したがって、ＴＲ５のコレクタに接続されているＦＥＴ ＴＲ３のゲートをプルダウンする。ＦＥＴ ＴＲ３は、Ｐ型のデバイスであるので、そのゲートに印加された比較的低い電位により、ＦＥＴ ＴＲ３はオン状態になる。充電回路１００からの電力は、このようにして電圧調整器ＩＣ１およびＦＥＴ ＴＲ３を通じて、給電線に供給され、本警報装置のさらに先の回路に分配される。加えて、充電線１１１の電流は、抵抗器Ｒ３０を通じて流れ、充電式のバッテリＢ１を充電する。
【００５８】
入力ＰＬ１を、例えば、電球（図示せず）用の電灯回路の切り換え帯電ケーブルに接続して、電灯回路をオン状態に切り換えた時、電力が、電灯回路から充電回路に加えられるようにできる、と想定される。電灯回路が、遮断されている（すなわち、ランプが消灯されている）期間中、給電線２１０への電力は、充電式のバッテリＢ１により与えられる。このような期間中は、いかなる電力も入力ＰＬ１、ＰＬ２に供給されないので、充電線１１１の電位は、実質的にアース線１１２のそれと同じである。
【００５９】
トランジスタＴＲ５のコレクタ、したがって、ＦＥＴ ＴＲ３のゲートに加えられる電位は低いため、後者は、トランジスタＴＲ５がオフに切り換えられてもオン状態に留まる。本警報装置のさらに先の回路には、このようにして、バッテリＢ１からＦＥＴ ＴＲ３を通じて電流が供給される。
【００６０】
充電回路が、相当なある時間使用されないある種の状況が有り得ることが理解されよう。このような状況の一つは、本警報装置の運搬中（すなわち、設置前）あるいはメーカから小売業者への輸送中の状況である。これらの状況では、明らかに、いかなる充電電流も利用できず、本警報装置がたとえ動作を必要とされなくても、バッテリは本警報装置に電力を与え続ける。したがって、バッテリＢ１は、ある期間に亘って、その電荷を失うことになる。これは、ある種の状況では受け入れることができるが、バッテリからの電流流出を最小のレベルにまで減らすことは有利であろう。
【００６１】
この問題に対する本発明により与えられた解決策は、バッテリＢ１を本警報装置の残りの回路から選択的に切り離して、バッテリの電流流出を無くすかあるいは最小限度に抑えることができるようにすることである。これは、接続手段５５０を通じて達成される。接続手段５５０は、充電線１１１とＦＥＴ ＴＲ３のゲートとの間に接続されており、ＦＥＴ ＴＲ３のソースをそのゲートに選択的に接続するようにされている。この状態では、ＦＥＴ ＴＲ３は、有効に短絡され、ゲートに印加される電圧は、アース電位から、バッテリＢ１によって充電線１１１に与えられたものに近いレベルにまで上昇する。
【００６２】
この上昇したゲートの電圧は、ＦＥＴ ＴＲ３をオフ状態に切り換え、それにより、電流がバッテリＢ１から回路の残りに流れるのを防ぐ。図２および３からわかることは、バッテリＢ１からの電流経路は、抵抗器Ｒ４０、Ｒ３１を通じて、次いで、Ｒ７、Ｒ８およびＲ３８、Ｒ３９を通じて、依然として存在することである。しかしながら、制限抵抗器Ｒ４０は、好ましくは、メガオーム台の抵抗を有し、これは、バッテリＢ１からの電流を相当に減らすのに十分な高さである。
【００６３】
好適には、接続装置５５０は、ＦＥＴ ＴＲ３のソースおよびゲートが、後述するように、例えば、本警報装置が設置される時点まで、デフォルトにより短絡されるようにしてよい。
【００６４】
上記の機構は、バッテリＢ１が、再充電しなければならなくなる前に、相当な期間の間、有用な電荷を保持することを可能にすることが理解されよう。したがって、バッテリを設置して出荷される本警報装置は、小売業者による販売後も、動作できるのに十分な電荷を依然として保持している。これは、バックアップ電源として充電式のバッテリを使用している幹線給電警報装置が、バッテリの電荷が後述のあるレベル以下に低下してもバッテリを充電できない、という共通の問題を解決するものである。
【００６５】
充電回路が、ある相当な期間使用できない場合があるもう一つの状況は、本警報装置の設置後、電灯回路が長い時間期間の間、通電されない場合である。これらの状況では、いかなる再充電電力も利用できず、本煙警報回路は、バッテリＢ１によってのみ電力を供給される。
【００６６】
従来の煙警報装置に関する問題は、バッテリの電荷が、予め決められたレベル以下に低下した時、警報装置の動作が不安定で予測できなくなる場合があり、警報装置は、一定の警報状態に戻ることが多いことである。この場合には、電灯回路を切り換えて、バッテリを充電することがうまくいかない場合がある。なぜなら、起動する警報装置に電力を供給するのに必要な余分の電流は、バッテリを充電するのに利用できる、あるいは、必要なそれを上回る場合があるからである。したがって、バッテリを充電するのに利用できる電流はほとんどなくなるかあるいは全くなくなり、回路は、警報を出し続けるかあるいは「ボグダウン（ｂｏｇ  ｄｏｗｎ）」し続け、したがって、バッテリは充電されないことになる。
【００６７】
従来の煙警報装置は、これを防ぐいかなる手段も有せず、充電式の電池を取り外して、それを個別に再充電することが必要になることが多い。しかしながら、取り外しできない充電式のバッテリを有する装置の場合は、バッテリを再充電することはできず、警報装置全体を廃棄しなければならない場合もある。
【００６８】
本発明の警報装置は、接続装置５５０により、この問題に対応するものである。ＦＥＴ ＴＲ３のソースとゲートを互いに他に接続することによって、ＦＥＴ ＴＲ３は、オフ状態に切り換えられ、バッテリＢ１は、上述のように、本煙警報装置の残りの回路から有効に切り離される。したがって、バッテリから警報回路へのいかなる流出も無く、充電回路から利用できる電流の実質的に全てがバッテリの再充電に使用することができる。
【００６９】
この解決策は、ユーザ側の積極的なアクション、すなわち、バッテリを再充電できるようにするための接続装置５５０の手動操作を必要とすることが理解できよう。加えて、接続装置５５０は、閉位置と開位置との間で、選択的に、かつ反復的に、切り換えることができるようにすることが必要である。
【００７０】
この問題に対する第二の解決策は、トランジスタＴＲ５により与えられており、該トランジスタは、バッテリＢ１の電荷が、予め決められたレベル以下になると、本警報装置の残りの回路からバッテリを有効に自動的に切り離すことを可能にする。
【００７１】
電灯回路が通電されていず、したがって、充電回路が動作不能である期間の間、バッテリの電荷は次第に減少することになる。トランジスタＴＲ５は、オフ状態に切り換えられたままであるが、これは、そのベースに印加された電位が低い（ブロッキングダイオードＤ３により、バッテリＢ１からの電流が妨げられているため、トランジスタＴＲ５がオンに切り換わるのに十分なレベルまで電位が上昇しない）ためである。加えて、ＦＥＴ ＴＲ３はバッテリの電荷とは無関係にオン状態のままであるが、これは、ＦＥＴ ＴＲ３のゲートに印加される電位（充電線１１１の電位で決まる）が低いためである。
【００７２】
充電回路がオン状態に切り換えられる（すなわち、回路が通電される）と、充電線１１１の電圧が増大する。しかしながら、バッテリを充電するのに必要とされる、したがってバッテリによって取り出される電流が大きいため、充電線１１１の電圧は、充電トランジスタＴＲ５をオンに切り換えるのに十分なレベルに達しない。それにもかかわらず、充電線１１１の電圧は、十分に上昇して、ＦＥＴ ＴＲ３のゲートに印加される電位を上昇させ、ＦＥＴ ＴＲ３がオフ状態に切り換わるのに十分なレベルまで上昇させ、それにより、バッテリＢ１を本警報装置のさらに先の回路から切り離す。したがって、充電回路からの電流のほとんど全てが、バッテリを充電するのに使えるようになる。
【００７３】
バッテリの電荷が上昇すると、バッテリによって取り出される電流が減少し、充電線１１１の電圧が増大する。充電線１１１の電圧が予め決められたレベルを超えると、トランジスタＴＲ５はオン状態に切り換わり、ＦＥＴ ＴＲ３のゲートに印加されている電位はアース線１１２の電位にまでプルダウンされ、それにより、ＦＥＴ ＴＲ３は、オン状態に切り換わり、バッテリＢ１は、本警報装置のさらに先の回路に再接続される。
【００７４】
トランジスタＴＲ５の存在は、バッテリがユーザの介入なしに完全に使い尽くされた時、すなわちその電荷が実質的にゼロになった時、本警報装置が再充電されるのを可能にするものであるが、ユーザが、本警報装置の感知回路から電源を切り離して、例えば、本警報装置を新しい場所に移動できるようにするために警報装置を無効にしたいと望む場合もあることが、想定される。
【００７５】
この問題に対応するためには、接続装置５５０は、ユーザが容易に接近できるように、そして、繰り返し接続および切り離しを行って、それにより、ＦＥＴ ＴＲ３を短絡し、したがって、上述のように感知回路を電源から切り離せるようにすることが望ましい。
【００７６】
切り離し回路が動作可能であって、かつ、ユーザが気が付かずに警報装置が分離されているような状況が生じるのを避けるために、図２０に示すように、感知回路２００に、パワーオン回路８００を設ける。ＦＥＴ ＴＲ１０のゲートは、抵抗器Ｒ９２により、トランジスタＴＲ３（図３）の警報装置側の電力線２１０に接続されており、ソースは、発光ダイオードまたは他の光源ＬＥＤ１を通じてアースに接続されている。ドレインは、抵抗器Ｒ９１により、切り離し回路の充電回路側の電力線１１１に接続されている。給電線１１１および警報線２１０には、ＬＥＤ１が点灯して本警報装置が動作可能であることを知らせる前に、電力が存在しなければならない。
【００７７】
既存の警報装置に関する別の問題は、例えば、料理の煙、石炭またはガスの火などの制御できない火、または煙草などによって生ずる虚偽の警報が頻繁に発生することである。誤って頻繁に起動する警報装置は、ユーザにより、何らかのやり方で取り外すか、あるいは無効にされることが多い。明確に言えば、例えば、バッテリを取り外したり、あるいは、スイッチを操作したりして、煙警報装置を無効状態にすることができる場合は、警報装置が無期限にであろうと予め決められた期間の間であろうとを問わず、警報装置がオフ状態に切り換えられている期間中に本当の火災が万一発生した場合に、潜在的に非常に危険である可能性がある。
【００７８】
この問題に対応するために、本発明は、ユニークなリセット機能を設けており、これは、誤警報の後で、本警報装置をオフ状態に切り換えずに本警報装置をリセットできるようにするものである。さらに、このリセット機能は、本警報装置それ自体のスイッチ、あるいは、本警報装置が接続されている電灯回路のランプスイッチを、プリセットされた期間に亘ってプリセットされた回数だけオンオフすることだけで、簡単かつ容易に実行される。
【００７９】
図４は、Ａで正の線１１０に接続されている入力線３０１のパルスに応答する制御回路３００を示す。パルスは、このように、警報装置が接続されている電灯回路の通電および遮断によって、すなわち、ランプスイッチを、プリセットされた時間期間に亘って、プリセットされた回数だけオンオフすることによって発生させることができる。
【００８０】
制御回路３００は、２つの部分からなる精密単安定集積回路である第一の集積回路ＩＣ２（図４では、便宜上二つの個別のブロック、ＩＣ２−Ａ、ＩＣ２−Ｂとして示してある）を含んでいる。ＩＣ２は、ランプスイッチのオン／オフ操作ごとに、それぞれの出力パルスを発生する。ＩＣ２の出力は、カウンタ集積回路である第二の集積回路ＩＣ３に接続されている。ＩＣ３は、第一の出力線３０６に接続された第一の出力を有し、電灯回路の単一の通電および遮断（すなわち、ランプスイッチの一回のオン／オフ操作）を表わすＩＣ２からの単一の出力パルスに応答して、第一の出力線３０６に電圧を印加するようにされている。ＩＣ３はまた、第ニの出力線３０８に接続された第二の出力を有し、電灯回路の二重の通電および遮断（すなわち、ランプスイッチのニ回のオン／オフ操作）を表わすＩＣ２からの二つの連続した出力パルスに応答して、第二の出力線３０８に電圧を印加するようにされている。第一および第二の出力線３０６、３０８は、それぞれ、図５に示した感知回路４００に、点ＥおよびＦで接続されている。
【００８１】
図５を参照すると、本警報装置の感知回路４００には、モトローラ社のＭＣ１４５０１８低電力コンプリメンタリＭＯＳ電離煙感知器集積回路などの感知器集積回路ＩＣ４を含んでいる。感知器集積回路ＩＣ４は、制限抵抗器Ｒ２０を通じて、給電線（Ｖｃｃとして示す）とアース線との間に接続され、感知器集積回路ＩＣ４の感知器入力４０２に印加される通常の使用電圧Ｖｎｏを発生する電離チャンバーＤＥＴ１を含んでいる。
【００８２】
電離チャンバーＤＥＴ１は、煙が感知された時、電離チャンバーによって発生し、かつ、感知器集積回路ＩＣ４の感知器入力に印加される電圧Ｖｎｏが低下するように配置されている。感知器集積回路ＩＣ４は、感知器集積回路ＩＣ４の感度入力４０４に印加される基準電圧Ｖｒｅｆによって設定される予め決められた、しかし調整可能な感度レベルを有している。電離チャンバーＤＥＴ１によって感知器集積回路ＩＣ４の感知器入力に印加される電圧Ｖｎｏが、Ｖｒｅｆ以下に低下すると、本警報装置が起動する。
【００８３】
コンデンサＣ１３の一つの電極は、制限抵抗器Ｒ２０と電離チャンバーＤＥＴ１との間の点に、また、第一の感知器トランジスタＴＲ２のコレクタにも接続されている。コンデンサＣ１３の他の電極は、アース線１１２に接続されている。第一の感知器トランジスタＴＲ２のエミッタは、アース線１１２に接続されており、また、そのベースは、点Ｅで第一の出力線３０６に接続されている。
【００８４】
電灯回路が、ＩＣ２に関連したＲ−Ｃタイマ回路の時定数によって決まる予め決められた時間期間以内に一回通電され遮断されると、入力線３０１のパルスがＩＣ２により感知され、ＩＣ２は制御信号をカウンタ集積回路ＩＣ３に送る。カウンタ集積回路ＩＣ３は、制御信号を受け取ると、第一の出力線３０６に電圧を印加し、この電圧は、次いで、第一の感知器トランジスタＴＲ２のベースに印加される。そのため、第一の感知器トランジスタＴＲ２はオン状態に切り換えられる。
【００８５】
次いで、給電線２１０から、第一の感知器トランジスタＴＲ２を通じて、電流が流れ、電離チャンバーに印加されていた電圧は、比較的低い電位にプルダウンされる。加えて、コンデンサＣ１３は、第一の感知器トランジスタＴＲ２を通じて放電する。結果として、電離チャンバーＤＥＴ１によって発生し、かつ、感知器集積回路ＩＣ４の感知器入力に印加される電圧Ｖｎｏが、感度入力で設定された基準電圧Ｖｒｅｆのレベル以下に低下する。そして、これが起こると、本警報装置が起動する。
【００８６】
カウンタ集積回路ＩＣ３によって第一の出力線３０６に印加された電圧が終わると、第一の出力線３０６の電圧は、比較的低い電位にまで低下し、したがって、第一の感知器トランジスタＴＲ２はオフ状態に切り換わる。タイマコンデンサＣ１３が放電すると、給電線２１０からコンデンサに電流が流れ、コンデンサは充電し始める。コンデンサＣ１３が充電しつつある間、電離チャンバーＤＥＴ１に印加された電圧は、充電電流がコンデンサによって取り出されているので、低い状態に留まる。しかしながら、コンデンサの電荷が増大するにつれて、電離チャンバーに印加された電圧は上昇する。ある期間の後で、電離チャンバーによって発生し、かつ、感知器集積回路ＩＣ４の感知器入力に印加されている電圧Ｖｎｏが、感度入力で設定された基準レベルＶｒｅｆ以上のある値まで上昇する。したがって、本警報装置は起動を停止する。
【００８７】
上述の回路は、本警報装置が接続された電灯回路の通電および遮断による、すなわち、ランプスイッチの操作による本警報装置のテストを可能にする。なお、ここで注目すべきことは、説明では「通電および遮断」の処置に言及しているが、この操作の順序は重要ではなく、回路は電灯回路の「遮断および再通電」に対して追加的にあるいは交互に応答するようにしてもよい。
【００８８】
テスト操作は、電離チャンバーに供給される電圧を減らし、したがって、それにより発生する電圧を感度閾値以下に減らすことによって、煙が電離チャンバーにより感知される状況を効果的にシミュレートすることが理解されよう。したがって、多くの従来の警報装置におけるように単に警報音響器だけではなく、電離チャンバーおよび感知器集積回路ＩＣ４の両方がテストされる。
【００８９】
また、コンデンサＣ１３は、コンデンサおよび関連する抵抗器の時定数によって決まる時間長の間、本警報装置をテスト状態に維持するタイマとして作用することができる。本警報装置は、第一の感知器トランジスタＴＲ２がオン状態であるかどうか、すなわち、第一の出力線３０６に依然として電圧が印加されているかどうかとは無関係に、コンデンサの電荷が予め決められたレベルに達するまで、テスト状態すなわち有効状態に留まる。したがって、カウンタ集積回路ＩＣ３によって第一の出力線に印加される電圧は、持続時間が比較的短いパルスの形となる場合がある。このパルスは、コンデンサＣ１３が放電できるのに十分な長さの持続時間の間だけ、印加されねばならない。
【００９０】
上述のように、感知器集積回路ＩＣ４の感度入力に印加される電圧Ｖｒｅｆは、本警報装置が起動する感度閾値を決定する。感知器集積回路ＩＣ４は、本警報装置の感度を調整して、異なる使用条件を補償することを可能にする。したがって、例えば、本警報装置を煙のレベルが低いのが普通であるキッチンの近くに設置する場合は、本警報装置の感度を減らして（Ｖｒｅｆを減らして）、異常に大量の煙だけでしか本警報装置が起動しないようにし、したがって、誤警報の数が減るようにすることができる。
【００９１】
感度閾値電圧は、感度入力４０４が接続され分圧器を形成している複数の抵抗器Ｒ２２、Ｒ２３、Ｒ２５およびＲ３５によって設定される。感度入力はまた、抵抗器Ｒ１９および阻止ダイオードＤ７を通じて、第二の感知器抵抗器ＴＲ１のコレクタにも接続されている。第二の感知器抵抗器ＴＲ１のエミッタは、アース線１１２に接続されており、また、ベースは、制限抵抗器Ｒ１５を通じて第二の出力線３０８に接続されている。
【００９２】
電灯回路が、ＩＣ２に関連したＲ−Ｃタイマ回路の時定数によって決まる予め決められた時間期間以内に２回通電されて遮断される場合は、入力線３０１のパルスがＩＣ２により感知され、ＩＣ２はリセット制御信号をカウンタ集積回路ＩＣ３に送る。カウンタ集積回路ＩＣ３はリセット制御信号を受け取ると、第二の出力線３０８に電圧を印加し、この電圧は次いで第二の感知器トランジスタＴＲ１のベースに印加される。そのため、第二の感知器トランジスタＴＲ１はオン状態に切り換えられる。
【００９３】
次いで、給電線２１０から抵抗器Ｒ１９を通じて電流が流れ、感知器集積回路ＩＣ４の感度入力４０４に印加されている電圧Ｖｒｅｆは比較的低い電位にプルダウンされる。感知器集積回路ＩＣ４の感度入力に印加されている電圧Ｖｒｅｆが低減されることは、感知器集積回路ＩＣ４の感度が減るという効果を有する。感度入力に印加されている電圧Ｖｒｅｆが、感知器集積回路ＩＣ４の感知器入力に印加されている電圧Ｖｎｏ以下に低下すると、誤って起動している警報装置は効果的にリセットされる。
【００９４】
本煙警報装置の誤起動は、一般に、電離チャンバーが少量の煙または他の空輸の粒子を感知することによって引き起こされ、これは、電離チャンバーによって発生し感知器集積回路ＩＣ４の感知器入力に印加されている電圧Ｖｎｏが、感度閾値として印加されている基準電圧Ｖｒｅｆ以下になる結果をもたらす。電圧Ｖｒｅｆが低下すると、本警報装置の感度閾値は低下する。感度閾値電圧Ｖｒｅｆが、電離チャンバーＤＥＴ１によって感知器入力に印加されている電圧Ｖｎｏ以下に低減すると、本警報装置は起動を停止する。本警報装置は、このようにして効果的にリセットされる。
【００９５】
感知器集積回路ＩＣ４はまた低バッテリ電荷入力も有しており、感度入力に印加される電圧が低減するにつれて、低バッテリ電荷入力に印加される電圧も低減する。これは、低バッテリ状態をシミュレートする感知器集積回路ＩＣ内の「低バッテリ」センサーの基準電圧を効果的に増大させる。このことは、本警報装置からの、毎分１回の「チャープ（ｃｈｉｒｐ）」によって指示され、したがって、本警報装置は、低バッテリ電荷（連続的に生じる場合）を指示する役割と、低感度状態（短時間しか生じない場合）を警告する役割との二重の役割を有していることになる。
【００９６】
上記のことに加えて、感知回路は、感度閾値Ｖｒｅｆが、その低下されたリセット位置からその通常の位置まで段階的な変化によって、あるいは、より好ましくは、元のレベルまでのゆるやかな変化または傾斜によって戻ることを可能にする。これは、制限抵抗器Ｒ１５とアース線１１２との間に接続されたコンデンサＣ８によって成し遂げられる。
【００９７】
カウンタ集積回路ＩＣ３によって第二の出力線３０８に電圧が印加され、トランジスタＴＲ１がターンオンすると、コンデンサＣ８は充電を行う。第二の出力線３０８に印加された電圧が終ると、コンデンサＣ８の電荷がトランジスタＴＲ１をオン状態に維持する。しかしながら、コンデンサＣ８は制限抵抗器Ｒ１６を通じて放電し、第二の感知器トランジスタＴＲ１のベースに印加されている電圧が減少する。この電圧が減少すると、第二の感知器トランジスタＴＲ１は導通状態から実質的に非導通状態に切り換わる。しかしながら、この状態変化は、ベースに印加されている電圧が減るにつれて徐々に行われる。したがって、感度入力に印加されている電圧は上昇し、それにより、感知器集積回路ＩＣ４の感度が増大する。
【００９８】
したがって、誤警報の原因が、料理または他の活動からの煙である場合は、減少した感度閾値レベルを超えることは、恐らくはなく、本警報装置の感度が増大するにつれて徐々にする消えることになる。好適には、通常の感度閾値レベルに達する時間までに、煙は恐らくは消えてしまっている。
【００９９】
上記の回路は、既存のシステムによって達成されるよりはるかに高いユーザ安全レベルを有することが分かろう。単に、ランプスイッチを操作するだけで本警報装置をリセットし、その閾値感度を減らすことのできる能力は、バッテリを取り外したりあるいは何か別のやり方でいじったりする既存の警報装置における必要性をなくすものである。加えて、本警報装置のリセット後に本当の火災が起こった場合でも、本警報装置は依然として動作可能であり、感度が低減したモードでも、恐らくは正しく起動して、それにより、ユーザに本当の非常時を知らせることになる。
【０１００】
図６は、本警報装置の別の形態の充電回路６００を示す。該回路は、広い意味で図２のそれに似ており、同様の機能を果たす。しかしながら、重要な相違点は、図６の回路にはブリッジ整流器ＢＲ１がない点である。代わりに、アース線１１２が中性入力ＰＬ２によって形成されており、したがって、正の線１１０の電圧は半波だけ整流される。コンデンサＣ２の値は、半波整流された電流に加えられる平滑化を増大させるため増大させてあり、また、追加の入力コンデンサＣ１５を複数の直列接続された抵抗器Ｒ１、Ｒ２、Ｒ３、と並列に接続して回路を通る電流の限度を増大させている。抵抗器Ｒ１、Ｒ２およびＲ３は、幹線電源がオフ状態に切り換えられた時、コンデンサＣ１５に放電経路を与えるのに役立つものである。
【０１０１】
正の線１１０とアース線１１２との間に発光ダイオードＬＥＤ１を接続して、入力ＰＬ１、ＰＬ２に電圧が印加されつつある場合に知らせる、すなわち、充電回路がオン状態に切り換えられている場合に知らせるようになっている。また、図２の電圧調整器ＩＣ１を充電回路から外して、代わりに、抵抗器Ｒ４７とツェナーダイオードＤ４の組み合わせを入れてある。
【０１０２】
図７は、論理回路７０２および信号調整回路７０４を有する、本警報装置の別の形態の制御回路７００を示す。この場合も、図７の回路の動作原理は、図４のそれと同様である。しかしながら、この実施形態では、本警報装置それ自体で個別のテスト／リセットボタンＳＷ２の使用を可能にするための追加の回路が含まれている。これは、上記のランプスイッチ、あるいは、押しボタンＳＷ２のいずれかによって、本警報装置のテストおよび（または）リセットを可能にするものである。図７の回路を制御回路として使用する場合は、充電回路２００の端子ＰＬ１は電灯回路の帯電ケーブルに接続され、スイッチの切り換え帯電側（ｓｗｉｃｔｈ  ｌｉｖｅ  ｓｉｄｅ）には接続されない。図７の回路からスイッチの切り換え帯電側まで、以下に説明する調整回路７０４を通した個別の接続が行われている。
【０１０３】
押しボタンＳＷ２は、コンデンサＣ１７と抵抗器Ｒ５５との並列の組合せを通じて、給電線２１０のＤＣ電源に接続されている。押しボタンＳＷ２を押してスイッチを閉じると、ＩＣ２のトリガ入力に印加された電圧がハイ（ｈｉｇｈ）になる。次いで、トリガ電圧は、コンデンサＣ１７が充電されるにつれて減少する。したがって、ＩＣ２の入力にパルスが加わる。ＩＣ２が、予め選択された期間内に予め選択された数のパルスを受け取ると、ＩＣ２は制御信号をＩＣ３に送り、ＩＣ３は次いで出力線３０６に電圧を印加する。
【０１０４】
押しボタンＳＷ２を、プリセットされた時間期間に亘り、プリセットされた回数だけ押すと、本警報装置は、図４および５を参照して上述したように、そのテストモードで起動する。
【０１０５】
図７の制御回路は、切り換え帯電入力（ｓｗｉｃｔｈｅｄ  ｌｉｖｅ  ｉｎｐｕｔ）ＳＬを有しており、これは、ランプスイッチのランプ側に接続されていて、ランプがオン状態に切り換えられると帯電状態になる。
【０１０６】
図２〜５の実施形態では、ランプスイッチがオンの時、ＩＣ２のトリガ入力に実際に加えられる信号は、ブリッジ整流器ＢＲ１からの整流されてはいるが平滑化されていない信号、すなわち、一連の正の方向のパルスである。ＩＣ２のトリガ入力は、それに加えられた電圧パルスに応答するので、トリガ入力へのこの信号の印加により、ＩＣ２は出力パルスを発生し、これは、絶えずリフレッシュされるので、ＩＣ２の出力はハイに固定される。このことは、図２〜５の実施形態では、ランプスイッチをオンおよびオフ状態に切り換えて、トリガ入力に加えられる「パルス」をシミュレートできるので申し分ない。すなわち、ランプスイッチをオン／オフ操作するごとに、ＩＣ２によりパルスが１個発生する。しかしながら、これが図７の場合であったとしたら、ＩＣ２は、押しボタンＳＷ２で生ずるパルスと、切り換え帯電入力ＳＬからの切り換え帯電ＡＣ信号によって加えられるパルスの列との識別ができないことになる。そして、その結果、押しボタンＳＷ２が無効となり、一方、切り換え帯電入力が通電され、すなわち、ランプがオン状態に切り換えられることになろう。
【０１０７】
したがって、切り換え帯電入力ＳＬが通電されている間でも、ＩＣ２の連続的な再起動を防ぐ方が有利である。図７では、切り換え帯電入力ＳＬは、多数の抵抗器Ｒ１３〜Ｒ１６、Ｒ５６および逆バイアスされたダイオードＤ７を通じてＩＣ２のトリガ入力に接続されている。ダイオードＤ７の陽極はトランジスタＴＲ１３のコレクタに追加的に接続されており、ＴＲ１３のエミッタはアース線１１２に接続されている。ベースは制限抵抗器Ｒ５４を通じて抵抗器Ｒ５３とコンデンサＣ１６との間の接合点に接続されており、抵抗器Ｒ５３とコンデンサＣ１６は、切り換え帯電入力Ｓとアース線との間に直列に接続されている。
【０１０８】
切り換え帯電入力ＳＬが無効な状態（すなわち、ランプスイッチがオフ状態）では、ＩＣ２のトリガ入力に印加される電圧は、一方では抵抗器Ｒ１７によって、他方では抵抗器Ｒ５６およびＲ４８によって形成された分圧器により決定される。Ｒ１７は、Ｒ５６およびＲ４８よりはるかに大きなものが選択されているので、ＩＣ２のトリガ入力に印加される電圧は低い。トランジスタＴＲ１３はオフ状態に切り換えられ、したがって、バッテリからの電流は、Ｒ１７、Ｒ４８およびＲ５６を通じてアース線に流れる。
【０１０９】
切り換え帯電入力ＳＬが通電される、すなわち、ランプスイッチがオン状態に切り換えられると、ツェナーダイオードＤ６が、ＡＣ電圧を約１２Ｖにクリップして負電圧をアース電位の近くに固定（クランプ）することにより、ＡＣ電圧を効果的に整流する。ダイオードＤ７の陰極に印加される電圧は、バッテリからダイオードＤ７の陽極に印加されるそれよりも大きい。したがって、バッテリからの電流はダイオードＤ７を通じて流れることはできず、したがって、ＩＣ２のトリガ入力に印加される電圧はほぼ電源電圧まで上昇し、ＩＣ２は単一の出力パルスを発生することになる。これは、上述のように、本警報装置を設定するのに使用される。
【０１１０】
しかしながら、切り換え帯電入力Ｓが通電されている場合は、コンデンサＣ１６が、コンデンサＣ１６および抵抗器Ｒ５３の時定数で決まる速度で充電し始める。コンデンサＣ１６の電荷が予め決められたレベルに達すると、トランジスタＴＲ１３がオン状態に切り換えられる。したがって、給電線からの電流がトランジスタＴＲ１３を通じてアース線に流れ、それにより、ＩＣ２のトリガ入力に印加されている電圧をロー（ｌｏｗ）にプルダウンする。この電圧は、次いで、トランジスタＴＲ１３によりローに固定され、この状態は、切り換え帯電入力Ｓが遮断されて、コンデンサＣ１６が放電してしまうまで継続する。この期間中、押しボタンＳＷ２は、上述のように、本警報装置をテストまたはリセットするのに使用できる。
【０１１１】
ＩＣ２により発生する出力パルスの持続時間は、ＩＣ２のトリガ入力に印加されている電圧が、ローにプルダウンされてからパルスが終るまでである。
【０１１２】
したがって、本警報装置が接続されている電灯回路が通電されている間は、本警報装置は押しボタンＳＷ２によってテスト可能である。また、電灯回路がオフ状態の間は、本警報装置は、押しボタンＳＷ２およびランプスイッチのいずれかによってテスト可能である。電灯回路が通電されている時に、ランプスイッチによって本警報装置をテストしたい場合は、電灯回路をまずオフ状態に切り換えねばならないが、それには、ランプスイッチの追加のオフ操作だけでよいことを理解されたい。
【０１１３】
本発明の警報装置は、一つまたはそれ以上の警報装置に接続して、ビルなどの中で使用するための警報装置のネットワークを形成することができる。感知器集積回路ＩＣ４には、同様の感知器集積回路の同様のピンに入出力（Ｉ／Ｏ）線を通じて接続するための、共通の入出力（Ｉ／Ｏ）ピンが設けられている。いくつかの国の法規では、Ｉ／Ｏ線と、例えば、中性ケーブルまたはアースケーブルとの間に短絡が生じても、警報装置がデフォルトで非常状態になるよう、Ｉ／Ｏ線の比較的低電圧を用いて、非常状態を知らせるべきことを規程している。
【０１１４】
しかしながら、感知器集積回路ＩＣ４は、Ｉ／Ｏピンに比較的高い電圧が印加された場合に警報を出すようになされており、逆に、分離チャンバーＤＥＴ１が煙を局部的に感知した場合にはＩ／Ｏピンに比較的高い電圧を印加する。したがって、警報装置がこのような国々で使用される場合は、感知器集積回路ＩＣ４によって発生する信号を反転して、Ｉ／Ｏ線に伝送するための、かつ、同じことだが、接続された警報装置からＩ／Ｏ線に受信される信号を反転するためのインバータ回路を設ける必要がある。本警報装置をこのような法規がない国々で使用する場合は、いかなる反転回路も必要ないであろう。
【０１１５】
システムは、誤警報が出てそれにより全ての警報装置が起動される場合には、最初に誤って起動された警報装置が、上記の方法を用いてリセットできるよう構成できることを理解されたい。これは、システム内の残りの警報装置もリセットすることになる。しかしながら、重要なことは、誤って起動された警報装置の感度閾値は低減されるが、システムの残りの警報装置は影響されず、それらの通常の感度閾値レベルを保持することである。これは、ビル内のどこかで火災が始まっても、ユーザにさらにより大きな安全を与えるものであり、不便さを最小限度に抑えるものであることを理解されたい。
【０１１６】
図８〜１５を参照すると、本発明の警報装置は、好適には、独特な設計のハウジングまたはケーシング５００を具備している。従来の天井取付け型の警報装置は、感知回路が取り付けられたバッキングプレートを使用している。バッキングプレートは、幹線回路の電源ケーブルを通すことができ、かつ、感知回路に設けられた適当なコネクタに取り付けられるようにするための開口を有している。また、バッキングプレートを天井取付け具にねじで留められるようにするためのねじ穴用の案内として、追加の開口が設けられている。バッキングプレートは、カバー内のバッキングプレートの直ぐ下に取り付けられた感知器回路とともに天井面に当てられるので、警報装置はある程度の奥行きを有しており、これをもし減らすことができれば、警報装置の外観美が向上するであろう。
【０１１７】
本発明の警報装置は、便利なように円形のハウジングを与えて、警報装置の奥行きを減らしている。具体的には、ハウジング５００は、大きな内側開口５０４を有する、一般に、環状リングの形態の第一のバッキングプレート５０２を含んでいる。第一のバッキングプレート５０２は、天井または他の取付け具に固定されるようにされている。内側開口５０４は、便利なことに、開口によって規定され、かつ、電源ケーブルが通過することになる天井の部分をユーザが切り明けるための案内として、使用される。第一のバッキングプレートはまた、少なくとも二つのクリップ５１４も有しており、これらは、好ましくは、プレートの周囲に等角度に一定の間隔で配置され、かつ、プレートの内面から半径方向に内側へ突出している。また、クリップは、プレートのリムに対してハウジングの内側へ持ち上がっている。
【０１１８】
第一のバッキングプレート５０２には、クリップ５２０（図１４および１５）が設けられており、プレートは弱められた領域によってそれに取り付けられているため、後述するように、クリップは第一のバッキングプレートから容易に取り外すことができる。
【０１１９】
第二のバッキングプレート５０６は、盛り上がった中央部分５０８を有しており、この中に煙感知器回路５１０が着座し、かつ、盛り上がった中央部分５０８が、第一のバッキングプレート５０２とほぼツライチになるように、第一のバッキングプレート５０２のクリップ５１２、あるいは、任意の他の適当な手段により、第一のバッキングプレートに取り付けられる。第二のバッキングプレートもクリップ５１４に対応するクリップ５１６を有しており、これらは、プレートの周囲に一定の間隔で配置され、かつ、その内面から半径方向に内側へバッキングプレート５０２に向かって突出している。
【０１２０】
第一および第二のバッキングプレート５０２、５０６のいずれか、あるいは両方に、回路５１０を包み、かつ、本警報装置の外観美を向上させるためのカバー部分５１４が取り付けられている。本警報装置は、既存の警報装置よりも相当によりスリム（ｓｌｉｍ−ｌｉｎｅ）である。
【０１２１】
本警報装置を設置するためには、ユーザは、第一のバッキングプレート５０２を天井または他の取付け具に、ねじなどを用いて取り付ける。ユーザは、次いで、開口５０４を通じて天井に開口を明け、本警報装置を取り付けるべき電灯または環状回路から出ているケーブルにアクセスする。電灯または環状回路からのケーブルは、本警報装置の対応するソケットと係合するプラグまたはコネクタ５１６により本警報装置に接続可能である。ユーザは、設置を容易にするために、プラグ５１６をクリップ５２０に取り付け、該クリップはプラグを所定の位置に保持し、一方、ユーザは、幹線回路からのケーブルをそれに接続する。クリップ５２０は、端部フック５２４付きのツメ５２２を有しており、該端部フックは、プラグ５１６を挟んでプラグを保持する。これは、ユーザが、プラグまたはケーブルを天井の開口を通じて引っ張る恐れなしに、ケーブルを電灯回路に接続することを可能にするものである。ケーブルが正しく接続された場合は、ユーザは、クリップ５２０からプラグを取り外し、次いで、クリップ５２０を第一のバッキングプレート５０２から取り外す。これで、プラグ５１６は本警報装置のソケットと係合可能となる。
【０１２２】
好適には、本警報装置は、プラグ５１６およびソケットが係合した時、それらが第一のバッキングプレート５０２とほぼ面を揃えた状態（ｆｌｕｓｈ  ｗｉｔｈ）となり、これによって、本警報装置の奥行きが減るようにされている。「プラグ」および「ソケット」の用語は、任意に使われており、かつ、プラグは、本警報装置に設置してよく、また、ソケットは、幹線回路のケーブルに接続するのに使用してよいことを理解されたい。
【０１２３】
第二のバッキングプレート５０６を第一のバッキングプレート５０２に接続するため、前者は、クリップ５１６に隣接するクリップ５１４付きで第一のバッキングプレートと共に提供されている。第二のバッキングプレート５０６は、次いで、回転して、クリップ５１６をクリップ５１４の後にスライドさせ、二つのプレートを互いに他に固定する。クリップを完全に係合させた時、第二のバッキングプレート５０６が第一のそれに対してさらに回転しないよう、一つまたは両方のバッキングプレートにストップを設けてもよい。クリップおよびそれらの配列体の寸法は、二つのバッキングプレート同士の間に安全で確実な接続が行われるようなものにする。
【０１２４】
図１１〜１３は、好適な形態の接続装置５５０を示す。この装置は、警報装置のハウジングの外からアクセスされるスピゴットまたはレバーの形態のアクチュエータ５５４により動作させる押し切り形スイッチ５５２を有している。レバーは一般にＬ字形で、プレートの面内で伸長するＬ字形の一方のアームと第一のバッキングプレートからハウジングの本体に伸長し、スイッチのアーム５５６と接する他方のアーム５６２とを有する第二のバッキングプレート５０６の本体から押される。スイッチアーム５５６は回路ボードに取り付けられ、かつ、ＴＲ３のゲートに接続されたディペンディングフランジ５５８を一端に有し、他端すなわちスイッチアームの自由端は、ＴＲ３のソースに電気的に接続されたパッドまたは接点５６０上に置かれている。スイッチアームは、パッドに対して自己バイアスされた弾力性のあるアームであるか、あるいは、コイルスプリングなどのバイアシング手段が与えられている。
【０１２５】
レバーの第二のアームは、レバー５５４の通常の静止姿勢では、スイッチアームの自由端がパッドに接触し、かつ、ＴＲ３のソースおよびゲートを互いに他に短絡して本警報装置を無効状態にするように、スイッチアームの自由端に接触している。レバー５５４はまた、Ｌ字形の二つのアームの接合点に形成されたスピゴットまたは盛り上がった部分を有しており、該スピゴットは、プレート５０６の周辺面の上に盛り上がっている。第二のバッキングプレート５０６が、第一のバッキングプレートと共に提供され、回転して係合される場合は、対応する部分（盛り上がった部分あるいは傾斜路様の部分など）は、スピゴット５５６と係合して後者を押し、スイッチアームの自由端をパッド５６０から外して、本警報装置を有効状態にする。
【０１２６】
一実施形態では、小さな明瞭なラベル付きの穴５６４が、本警報装置のケーシングに設けられている。穴はメタライズ（金属化）された内面を有しており、パッド５６０に電気的に接続されている。したがって、第二のバッキングプレート５０６をプレート５０２から外す際に、何らかの理由でスイッチアームがパッド５６０に接触できなくても、例えば、紙クリップを曲げて穴に差し入れ、スイッチアームとパッドとを短絡してバッテリを切り離し、本警報装置を消音することができる。
【０１２７】
別の方法として、鉛筆、ピンまたは爪楊枝などの細い物体によって直接にあるいは穴を通じてアクセスできる押しボタンスイッチを用いて、ユーザが、手動で、電源を感知回路から切り離すようにしてもよい。
【０１２８】
一実施形態では、スイッチは、電源がデフォルトにより感知回路から切り離された場合、スイッチの操作により電源が感知回路に接続されるようにされている。スイッチは、一旦設置された警報装置に嵌合するようになされたカバーまたはハウジングに配置されたピンにより操作されてよい。カバーを本警報装置に嵌合させると、ピンはスイッチと係合し、それにより、電源は感知回路に再び接続される。
【０１２９】
ここで、図１６〜１８を参照すると、本警報装置を電灯回路に接続する方法が、三つ示されている。
【０１３０】
図１６では、帯電端子（ｌｉｖｅ  ｔｅｒｍｉｎａｌ）および中性端子（ｎｅｕｔｒａｌ  ｔｅｒｍｉｎａｌ）ＰＬ１、ＰＬ２は、消費者ボード８００または他の配電盤に接続されている。これは、切り換え帯電ＳＬ端子が使用されていない場合の標準の構成である。この構成の場合は、図７の制御回路を有する警報装置が使用され、セットとリセットは警報装置のハウジングにあるスイッチＳＷ２の使用により行われることが理解されよう。警報装置は、環状幹線または同様のものの恒常的な帯電ケーブルおよび中性ケーブルに配線される。幹線回路は、例えば、電源が遮断され、それにより、警報装置がバックアップ電源として働くバッテリにより電力を供給される場合以外は、常時、警報装置に電力を供給する。
【０１３１】
図１７では、帯電端子および中性端子ＰＬ１、ＰＬ２は、消費者ボード８００または他の配電盤または電灯用の天井ローズ形に接続されている。切り換え帯電端子ＳＬは、ランプスイッチのランプ側に接続されている。この構成では、図７の制御回路を有する警報装置が使用され、セットとリセットは、ランプスイッチの使用によるか、あるいは、警報装置のハウジング上のスイッチＳＷ２の使用により行われる。この場合、警報装置は恒常的な帯電ケーブルおよび中性ケーブルに配線され、また、切り換え帯電ケーブルにも配線される。警報装置は、常時、幹線回路により電力を供給されるが、押しボタンスイッチＳＷ２および（または）ランプスイッチによって、テストおよび（または）リセットすることができる。
【０１３２】
図１８では、帯電端子ＰＬ１および切り換え帯電端子ＳＬは、互いに他に接続されており、また、電灯回路の切り換え帯電ケーブルに接続されている。この場合、ランプスイッチは、押しボタンスイッチＳＷ２（存在する場合）に加えて警報装置をテスト／リセットするのに使用でき、また、電灯回路が遮断される（すなわち、ランプが使用されない）場合、バッテリにより警報装置に電力が供給される。
【０１３３】
添付の図に示した回路は、上述の機能に変形を施すため変更してよい。例えば、ある与えられた機能に対する押しボタンスイッチの操作数は、ランプスイッチの操作数に合わせてよい。押しボタンスイッチＳＷ２および（または）ランプスイッチの操作数を増やすことにより、各種の追加の機能を追加し、かつ、起動することができる。ランプスイッチの操作は、「オン−オフ−オン」シーケンスに加えて、あるいは、その別法として、「オフ−オン−オフ」シーケンスを感知するようセットしてよい。有利には、ただ一つの押しボタンスイッチＳＷ２（これは任意の形態のスイッチでよかろう）および（または）ただ一つのランプスイッチだけで、本警報装置の機能の全てが操作可能である。
【０１３４】
二つまたはそれ以上の警報装置間の連絡用の相互接続を含んでよいが、これは、あくまでも任意である。
【０１３５】
別の実施形態では、本警報装置は、本警報装置が起動した時、電源の恒常的な帯電ケーブル（存在する場合）を電灯回路の切り換え帯電ケーブルに接続するリレーまたは他のそのような切り換え装置を含んでいる。これは、本警報装置が起動した時、切り換え帯電ケーブルに接続されているランプが、自動的に点灯するという有利な効果をもたらす。図１９は、これを成し遂げるための、本警報回路に対する変更形態を示す。図１９では、充電回路１００は、電灯回路電源のライブおよびニュートラルに接続されている。信号調整回路７０４は、入力として、ランプスイッチＳの切り換え帯電出力を有しており、かつ、図７を参照して既に説明したように論理回路７９２に接続されている。加えて、電源のライブは、電力調整回路７１０および簡便にはソレノイド操作の２４０Ｖリレーであるリレー７１２によって、回路７０４の切り換え帯電ＳＬ入力に接続されている。リレー７１２は、本警報装置を起動してランプＬＢを（オフの場合）オンに切り換える時、感知器回路４００からの信号によって動作する。電力調整回路７１０は、その最も簡単なものはダイオード７１４である。
【０１３６】
リレー７１２は、警報状態が存在すると動作して、ダイオード７１４により帯電線をランプＬＢに接続する。
【０１３７】
テストまたはリセット信号が、スイッチＳの１回またはそれ以上のオンおよびオフ操作により信号調整回路に加えられると、リレー７０２を通じて回路７０４に加えられたＡＣ幹線信号で本警報装置が起動することはなくなる。ダイオード７１４は、ＡＣ幹線の半波整流を行って、リレー７１４が閉じた時、負の方向のパルスのみが、リレーを通って信号調整回路７０４に行けるようにする。しかしながら、回路７０４は正の方向のパルスのみを検知し、したがって、リレー７１２を通じてランプに電力を供給する幹線パルスでは、警報装置は起動しない。
【０１３８】
加えて、相互接続された警報装置およびランプは全てオンに切り換えることができ、したがって、例えば３階のタウンハウスなどの高層ビルで火災が起こった場合には、それにより、逃げ道が示されることになろう。
【０１３９】
本発明は、既存の警報装置に比べて、重要な改良点を有していることを理解されたい。上述の本発明の各種の特徴は、相互に包含的ではなく、必要なら、他の特徴から独立して使用することができることを理解されたい。例えば、本警報装置に関して述べたケーシング／ハウジングは、電灯回路に接続可能な警報装置以外のそれらに適用可能である。
【０１４０】
切り離し回路は、煙警報装置以外の装置で使用してよい、あるいは、警報装置の設置または幹線回路への接続で、電源が自動的に感知回路に再接続されるように変更して煙警報装置に使用してよい。これは、特に、同時係属出願である国際特許出願公開第ＷＯ ００／５８９２４号（その内容は、引用により本文書に組み込まれている）に記述されている警報装置などの警報装置に当てはまる、としてよい。
【図面の簡単な説明】
【０１４１】
【図１】本発明による好適な形態の警報装置のブロック回路図である。
【図２】図１の警報装置の充電回路の回路図である。
【図３】図１の警報装置の切り離し回路の回路図である。
【図４】図１の警報装置の制御回路の回路図である。
【図５】図１の警報装置の感知回路の回路図である。
【図６】図１の警報装置の別の形態の充電回路の回路図である。
【図７】図１の警報装置の別の形態の制御回路の回路図である。
【図８】図１の警報装置のハウジングの第一の斜視図である。
【図９】図８のハウジングの第二の斜視図である。
【図１０】図８の警報装置の部分断面図である。
【図１１】図３の切り離し回路用の機械的切り離し機構の上からの斜視図である。
【図１２】図１１の機械的切り離し機構の上からの別の斜視図である。
【図１３】図１１の機械的切り離し機構の一部の下からの斜視図である。
【図１４】本警報装置の電力ソケットと離間した関係にあるソケットホルダとを示す警報装置ハウジングの一部の下からの斜視図である。
【図１５】ソケットホルダに係合した電力ソケットを示す図１４と同様の斜視図である。
【図１６】本警報装置の、消費者配線システムに対する第一の接続法を示す概略図である。
【図１７】本警報装置の、消費者配線システムに対する第二の接続法を示す概略図である。
【図１８】本警報装置の、消費者配線システムに対する第三の接続法を示す概略図である。
【図１９】別の形態の警報装置の回路のブロック図である。
【図２０】図３の切り離し回路用の電源オン回路の概略図である。
【図１】
2005531055.tif 000003
【図２】
2005531055.tif 000004
【図３】
2005531055.tif 000005
【図４】
2005531055.tif 000006
【図５】
2005531055.tif 000007
【図６】
2005531055.tif 000008
【図７】
2005531055.tif 000009
【図８】
2005531055.tif 000010
【図９】
2005531055.tif 000011
【図１０】
2005531055.tif 000012
【図１１】
2005531055.tif 000013
【図１２】
2005531055.tif 000014
【図１３】
2005531055.tif 000015
【図１４】
2005531055.tif 000016
【図１５】
2005531055.tif 000017
【図１６】
2005531055.tif 000018
【図１７】
2005531055.tif 000019
【図１８】
2005531055.tif 000020
【図１９】
2005531055.tif 000021
【図２０】
2005531055.tif 000022
【国際調査報告】
2005531055.tif 000023
2005531055.tif 000024
2005531055.tif 000025
2005531055.tif 000026